(57)【要約】【課題】雪等の堆積物の状態に応じた適切な送信レベルで無線信号を送信する。【解決手段】第１検出部２１は、ＬＰＷＡ信号送信装置２０４の上に堆積した堆積物の厚みを検出する。第２検出部２２は、ＬＰＷＡ信号送信装置２０４の上に堆積した堆積物の重量を検出する。特定部２３は、ＬＰＷＡ信号送信装置２０４と、当該ＬＰＷＡ信号送信装置２０４から送信された無線信号を受信する受信装置との間の距離を特定する。送信制御部２４は、上記の堆積物の厚み及び重量に加えて、特定部２３により特定された距離に応じた送信レベルで無線信号を送信するよう、ＬＰＷＡ信号送信装置２０４を制御する。【選択図】図３
2020061600.tif 000002
【特許請求の範囲】
【請求項１】
送信装置の上に堆積した堆積物の厚みを検出する第１検出部と、
前記送信装置の上に堆積した堆積物の重量を検出する第２検出部と、
前記第１検出部によって検出された前記厚み及び前記第２検出部によって検出された前記重量に応じた送信レベルで無線信号を送信するよう、前記送信装置を制御する送信制御部と
を備えることを特徴とする制御装置。
【請求項２】
前記送信装置と、当該送信装置から送信された無線信号を受信する受信装置との間の距離を特定する特定部を備え、
前記送信制御部は、
前記厚み及び前記重量に加えて、前記特定部により特定された前記距離に応じた送信レベルで無線信号を送信するよう、前記送信装置を制御する
ことを特徴とする請求項１記載の制御装置。
【請求項３】
前記送信制御部は、
前記送信装置から送信された無線信号を受信する受信装置が前記堆積物の非堆積時に前記無線信号を受信したときの受信レベルと、当該受信装置が前記堆積物の堆積時に前記無線信号を受信したときの受信レベルとの差に基づいて特定される前記送信レベルで無線信号を送信するよう、前記送信装置を制御する
ことを特徴とする請求項１又は２に記載の制御装置。
【請求項４】
前記送信制御部は、
前記第２検出部によって検出された前記重量が閾値以上の場合には、前記第１検出部によって検出された前記厚みに関わらず、一定値以上の送信レベルで無線信号を送信するよう、前記送信装置を制御する
ことを特徴とする請求項１〜３のいずれか１項に記載の制御装置。
【請求項５】
前記送信制御部は、
前記第１検出部によって検出された前記厚みの時系列変化又は前記第２検出部によって検出された前記重量の時系列変化が決められた条件を満たす場合には、当該時系列変化に応じた送信レベルで無線信号を送信するよう、前記送信装置を制御する
ことを特徴とする請求項１〜４のいずれか１項に記載の制御装置。
【請求項６】
前記送信装置は、LPWA(Low Power Wide Area)方式の送信装置である
ことを特徴とする請求項１〜５のいずれか１項に記載の制御装置。
【請求項７】
コンピュータを、
送信装置の上に堆積した堆積物の厚みを検出する第１検出部と、
前記送信装置の上に堆積した堆積物の重量を検出する第２検出部と、
前記第１検出部によって検出された前記厚み及び前記第２検出部によって検出された前記重量に応じた送信レベルで無線信号を送信するよう、前記送信装置を制御する送信制御部と
して機能させるためのプログラム。
【発明の詳細な説明】
【技術分野】
【０００１】
本発明は、積雪時等において無線信号を送信するための技術に関する。
【背景技術】
【０００２】
特許文献１には、電子機器が水中に存在しない場合と水中に存在する場合で、その電子機器の送信電力の上限値を異ならせることが開示されている。
【先行技術文献】
【特許文献】
【０００３】
【特許文献１】特開２０１７−１３５５４０号公報
【発明の概要】
【発明が解決しようとする課題】
【０００４】
近年は、ＩｏＴ（Internet of Things）、つまりインターネット経由でセンサ及び通信機能を備えた機器（ＩｏＴ機器という）を接続する技術が注目されている。この種のＩｏＴ機器は屋外に設置されることもあるが、例えば積雪時のように、ＩｏＴ機器の上に堆積物が存在する場合には通信不良となる可能性が考えられる。
【０００５】
そこで、本発明は、例えば雪等の堆積物の状態に応じた適切な送信レベルで無線信号を送信することを目的とする。
【課題を解決するための手段】
【０００６】
上記課題を解決するため、本発明は、送信装置の上に堆積した堆積物の厚みを検出する第１検出部と、前記送信装置の上に堆積した堆積物の重量を検出する第２検出部と、前記第１検出部によって検出された前記厚み及び前記第２検出部によって検出された前記重量に応じた送信レベルで無線信号を送信するよう、前記送信装置を制御する送信制御部とを備えることを特徴とする制御装置を提供する。
【０００７】
前記送信装置と、当該送信装置から送信された無線信号を受信する受信装置との間の距離を特定する特定部を備え、前記送信制御部は、前記厚み及び前記重量に加えて、前記特定部により特定された前記距離に応じた送信レベルで無線信号を送信するよう、前記送信装置を制御するようにしてもよい。
【０００８】
前記送信制御部は、前記送信装置から送信された無線信号を受信する受信装置が前記堆積物の非堆積時に前記無線信号を受信したときの受信レベルと、当該受信装置が前記堆積物の堆積時に前記無線信号を受信したときの受信レベルとの差に基づいて特定される前記送信レベルで無線信号を送信するよう、前記送信装置を制御するようにしてもよい。
【０００９】
前記送信制御部は、前記第２検出部によって検出された前記重量が閾値以上の場合には、前記第１検出部によって検出された前記厚みに関わらず、一定値以上の送信レベルで無線信号を送信するよう、前記送信装置を制御するようにしてもよい。
【００１０】
前記送信制御部は、前記第１検出部によって検出された前記厚みの時系列変化又は前記第２検出部によって検出された前記重量の時系列変化が決められた条件を満たす場合には、当該時系列変化に応じた送信レベルで無線信号を送信するよう、前記送信装置を制御するようにしてもよい。
【００１１】
前記送信装置は、LPWA(Low Power Wide Area)方式で無線信号を送信するようにしてもよい。
【００１２】
また、本発明は、コンピュータを、送信装置の上に堆積した堆積物の厚みを検出する第１検出部と、前記送信装置の上に堆積した堆積物の重量を検出する第２検出部と、前記第１検出部によって検出された前記厚み及び前記第２検出部によって検出された前記重量に応じた送信レベルで無線信号を送信するよう、前記送信装置を制御する送信制御部として機能させるためのプログラムを提供する。
【発明の効果】
【００１３】
本発明によれば、例えば雪等の堆積物の状態に応じた適切な送信レベルで無線信号を送信することが可能となる。
【図面の簡単な説明】
【００１４】
【図１】本発明の一実施形態に係る通信システムの構成を例示する図である。
【図２】通信装置のハードウェア構成の一例を示すブロック図である。
【図３】通信装置の機能構成の一例を示すブロック図である。
【図４】通信装置の動作の一例を示すフローチャートである。
【発明を実施するための形態】
【００１５】
［構成］
図１は、本実施形態の通信システム１の一例を示す図である。通信システム１は、例えば屋内に設置された受信設備１０と、屋外に設置されたＩｏＴ機器である通信装置２０とを備えている。図１には、通信装置２０を１つのみ示しているが、これらは複数であってもよい。
【００１６】
通信装置２０は、例えば気温等の環境に関する物理値を対象としてセンシングするセンシング機能と、例えばＬＰＷＡ（LOW Power Wide Area）の通信規格に従って無線信号（ＬＰＷＡ信号という）を送信する送信機能を備えている。ＬＰＷＡは消費電力の低減やデバイスの小型化に有利であり、その伝送距離は数ｋｍ程度であるが、障害物による影響を比較的受けやすい。通信装置２０の送信機能より送信されるＬＰＷＡ信号は、上記センシング機能によりセンシングされた結果であるセンシング情報を含んでいる。受信設備１０は、通信装置２０から送信されたＬＰＷＡ信号を受信する受信装置を含み、そのＬＰＷＡ信号に含まれるセンシング情報を所定の目的で活用する。
【００１７】
図２は、通信装置２０のハードウェア構成を例示する図である。通信装置２０は、制御装置２０１、センサ２０２、重量センサ２０３１、厚みセンサ２０３２、ＬＰＷＡ信号送信装置２０４、及び記憶装置２０５を有する。制御装置２０１は、ＣＰＵ（Central Processing Unit）、ＲＯＭ（Read Only Memory）、ＲＡＭ（Random Access Memory）を有する。ＣＰＵがＲＯＭ及び記憶装置２０５に記憶されているコンピュータプログラムを読み出して実行することにより通信装置２０の各部が制御され、後述する図３に示される機能が実現される。センサ２０２は、例えば気温等のセンシング対象をセンシングする。ＬＰＷＡ信号送信装置２０４は、１チップ化されたＬＰＷＡ通信ユニットである。記憶装置２０５は、例えばソリッドステートドライブやハードディスクドライブ等の記憶手段であり、制御装置２０１のＣＰＵに読み込まれる各種のプログラムやデータ等を記憶する。
【００１８】
重量センサ２０３１は、例えばＬＰＷＡ信号送信装置２０４の送信面に設けられた感圧装置であり、ＬＰＷＡ信号送信装置２０４の上に堆積した雪等の堆積物の重量（例えば送信面における単位面積あたりにかかる重量）をセンシングする。厚みセンサ２０３２は、例えば変位検出装置であり、例えばＬＰＷＡ信号送信装置２０４の上方からＬＰＷＡ信号送信装置２０４の送信面に対して光を照射してその反射光を受光するまでの時間に基づいて、ＬＰＷＡ信号送信装置２０４の上に堆積した雪等の堆積物の厚みをセンシングする。なお、通信装置２０は、図２に例示した構成以外に例えば電池やユーザインタフェースなどの構成を含んでいる。
【００１９】
図３は、通信装置２０の機能構成の一例を示すブロック図である。通信装置２０の制御装置２０１はコンピュータプログラムを実行することにより、第１検出部２１、第２検出部２２、特定部２３及び送信制御部２４という機能を実現する。
【００２０】
第１検出部２１は、ＬＰＷＡ信号送信装置２０４の上に堆積した堆積物の厚みを検出する。第２検出部２２は、ＬＰＷＡ信号送信装置２０４の上に堆積した堆積物の重量を検出する。
【００２１】
特定部２３は、ＬＰＷＡ信号送信装置２０４と、当該ＬＰＷＡ信号送信装置２０４から送信されたＬＰＷＡ信号を受信する受信設備１０（受信装置）との間の距離を特定する。
【００２２】
送信制御部２４は、第１検出部２１によって検出された厚み及び第２検出部２２によって検出された重量に応じた送信レベルで無線信号を送信するよう、ＬＰＷＡ信号送信装置２０４を制御する。さらに、送信制御部２４は、上記の堆積物の厚み及び重量に加えて、特定部２３により特定された距離に応じた送信レベルで無線信号を送信するよう、ＬＰＷＡ信号送信装置２０４を制御する。
【００２３】
ここで、図４は、通信装置２０の動作を示すフローチャートである。図４において、通信装置２０のセンサ２０２は、定期的にセンシング対象をセンシングしてセンシング情報を生成する（ステップＳ１０）。センシング情報を送信する時期が到来すると（ステップＳ１１；Ｙｅｓ）、送信制御部２４は、第１検出部２１又は第２検出部２２の検出結果を用いて、ＬＰＷＡ信号送信装置２０４の上に堆積物（ここでは雪）があるか否かを判断する（ステップＳ１２）。ここでは、第１検出部２１が堆積物の厚みを閾値以上検出するか又は第２検出部２２が堆積物の重みを閾値以上検出すると、送信制御部２４は、ＬＰＷＡ信号送信装置２０４の上に堆積物があると判断する（ステップＳ１２；Ｙｅｓ）。
【００２４】
次に、送信制御部２４は、第１検出部２１が検出した堆積物の厚み及び第２検出部２２が検出した堆積物の重みを特定する（ステップＳ１３）。
【００２５】
次に、特定部２３は、ＬＰＷＡ信号送信装置２０４と受信設備１０との間の距離を特定する（ステップＳ１４）。具体的には、特定部２３は、通信装置２０の設置時に通信装置２０及び受信設備１０間の距離を記憶しておき、その距離を読み出すことでこれを特定する。また、特定部２３は、ＧＰＳ（Global Positioning System）等の測位装置を備えるとともに受信設備１０の位置を記憶しておき、測位された位置と受信設備１０の間の位置との間の距離を算出することで、これを特定するようにしてもよい。
【００２６】
送信制御部２４は、特定した堆積物の厚み及び重量に応じた送信レベルであって、特定部２３により特定された受信設備１０までの距離に応じた送信レベルを決定する（ステップＳ１５）。具体的には、まず、送信制御部２４は、受信設備１０までの距離に応じた送信レベルを求める。この送信レベルは、ＬＰＷＡ信号が通信装置２０から受信設備１０まで到達するに必要にして十分な程度のレベルである。つまり、この送信レベルは、通信装置２０から受信設備１０までの距離が長いほど高いレベルである。送信制御部２４は、距離と送信レベルとの対応関係をテーブル形式で記憶しており、送信制御部２４は、このテーブルを参照して、受信設備１０までの距離に応じた送信レベル（送信レベルＬ０とする）を求める。
【００２７】
次に、送信制御部２４は、求めた送信レベルＬ０に対し、堆積物の厚みに応じて決められた係数及び重量に応じて決められた係数を乗算する。例えば、堆積物の厚みをｔとすると、堆積物の厚みに関する係数はｔの関数ｆ１（ｔ）である。この関数ｆ１（ｔ）は、堆積物の厚みが大きいほど大きな係数を出力する。また、堆積物の重量をｗとすると、堆積物の厚みに関する係数はｗの関数ｆ２（ｗ）である。この関数ｆ２（ｗ）は、堆積物の重量が大きいほど大きな係数を出力する。送信制御部２４は、このような関数ｆ１（ｔ）及び関数ｆ２（ｗ）を記憶しており、これらの関数に対して堆積物の厚みｔ及び重量ｗを入力してそれぞれの係数を得る。そして、送信制御部２４は、Ｌ＝Ｌ０×ｆ１（ｔ）×ｆ２（ｗ）という数式に従い、最終的な送信レベルＬを特定する。
【００２８】
送信制御部２４は、決定した送信レベルＬで無線信号を送信するよう、ＬＰＷＡ信号送信装置２０４を制御する（ステップＳ１６）。通信装置２０によって送信されたＬＰＷＡ信号は受信設備１０によって受信され、所定の目的のために使用される。
【００２９】
以上の実施形態によれば、雪等の堆積物が存在して通信環境が不良であっても通信を行い得る一方、堆積物がないときには必要最小限の電力で通信を行うことができる。つまり、堆積物の状態に応じた適切な送信レベルでの通信が可能となる。
【００３０】
また、例えば堆積物が雪の場合には、積もった雪の重量が一定であっても、その雪の状態（例えば湿雪か乾雪か、又は、その雪が溶けている程度など）によって、積もった雪の厚みが異なる。換言すると、積もった雪の厚みが一定であっても、その雪の状態によってその重量が異なる。ＬＰＷＡ信号送信装置２０４に対して堆積物が通信の障害となり得る程度は、その堆積物の重量が関係する一方、その堆積物の厚みも関係する。本実施形態によれば、堆積物の厚みと重量の双方に応じた送信レベルでの通信が可能となる。
【００３１】
［変形例］
本発明は、上述した実施形態に限定されない。上述した実施形態を以下のように変形してもよい。また、以下の２つ以上の変形例を組み合わせて実施してもよい。
【００３２】
［変形例１］
通信装置２０から送信される無線信号はＬＰＷＡ信号に限定されず、その通信方式や通信規格はどのようなものであってもよい。また、堆積物は雪に限らず、例えば落ち葉や雹、ごみ或いは埃などであってもよい。
【００３３】
［変形例２］
送信制御部２４は、受信設備１０が堆積物の非堆積時にＬＰＷＡ信号を受信したときの受信レベルと、受信設備１０が堆積物の堆積時にＬＰＷＡ信号を受信したときの受信レベルとの差に基づいて特定される送信レベルで無線信号を送信するよう、ＬＰＷＡ信号送信装置２０４を制御するようにしてもよい。つまり、送信制御部２４は、堆積物の堆積時においてＬＰＷＡ信号を送信するときに、検出された堆積物の厚みと重量とを併せて送信する。受信設備１０は、このＬＰＷＡ信号を受信したときの受信レベル、堆積物の厚み及び重量と、堆積物の非堆積時にＬＰＷＡ信号を受信したときの受信レベルとを用いて、上述した関数ｆ１（ｔ）及びｆ２（ｗ）を生成し、これらを通信装置２０に通知する。通信装置２０はこの関数ｆ１（ｔ）及びｆ２（ｗ）を用いて、検出された堆積物の厚みと重量に応じた送信レベルを特定する。
【００３４】
［変形例３］
堆積物の重量が閾値を超えた場合（つまりその堆積物の絶対的な量がある閾値を超えた場合）、その厚みに関わらず、ＬＰＷＡ信号送信装置２０４が出力可能な最高の送信レベルでＬＰＷＡ信号を送信しなければ受信設備１０にＬＰＷＡ信号が到達しないようなケースも考えられる。そのため、送信制御部２４は、第２検出部２２によって検出された重量が閾値以上の場合には、第１検出部２１によって検出された厚みに関わらず、一定値以上の送信レベル（典型的には、ＬＰＷＡ信号送信装置２０４が出力可能な最高の送信レベル）でＬＰＷＡ信号を送信するよう、ＬＰＷＡ信号送信装置２０４を制御するようにしてもよい。
【００３５】
［変形例４］
例えば激しい降雪が続くような場合、堆積物の厚みと重量の双方に応じて特定した送信レベルであっても、空中に存在する降雪中の雪の影響で通信不良となるケースも考えられる。そこで、降雪が激しい場合、つまり第１検出部２１によって検出された厚みが時間の経過に伴って増加する傾向の場合、又は、第２検出部２２によって検出された重量が時間の経過に伴って増加する傾向の場合には、送信制御部２４は、当該傾向に応じた送信レベル（例えばＬ＝Ｌ０×ｆ１（ｔ）×ｆ２（ｗ）に対して、１を超える値であって、上記の重量増加又は厚み増加の傾きが顕著であるほど大きくなるような値を乗算したレベル）でＬＰＷＡ信号を送信するよう、ＬＰＷＡ信号送信装置２０４を制御するようにしてもよい。
【００３６】
［変形例５］
なお、次のような実施もあり得る。受信設備１０は 通信装置２０から送られてきたＬＰＷＡ信号において当該信号に含まれる通信装置２０の識別情報を検出し、その識別情報から通信装置２０の位置に関するデータベースを参照して通信装置２０の位置を特定し、その位置と受信設備１０の位置との間の距離を算出する。さらに、受信設備１０は、上記ＬＰＷＡ信号の受信レベルを計測し、それを堆積物の非堆積時に計測された受信レベルと比較して、堆積物の堆積により減衰してしまった受信レベルを補うだけの送信レベルを算出する。受信設備１０は、その新たな送信レベルを通信装置２０に対してＡｃｋの形で通知する。このＡｃｋを受信した通信装置２０は、Ａｃｋとして受信した送信レベルを新たな送信レベルとして設定する。これにより、堆積物の堆積時においても適切な送信レベルでＬＰＷＡ信号の送信が可能となる。
【００３７】
［そのほかの変形例］
上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００３８】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００３９】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００４０】
本明細書で使用する「システム」及び「ネットワーク」という用語は、互換的に使用される。
【００４１】
本明細書で説明した情報又はパラメータなどは、絶対値で表されてもよいし、所定の値からの相対値で表されてもよいし、対応する別の情報で表されてもよい。例えば、無線リソースはインデックスで指示されるものであってもよい。
【００４２】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００４３】
本明細書で使用する「判定（determining）」、「決定（determining）」という用語は、多種多様な動作を包含する場合がある。「判定」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）  した事を「判定」「決定」したとみなす事などを含み得る。また、「判定」、「決定」は、受信（receiving）  （例えば、情報を受信すること）、送信（transmitting）（例えば、情報を送信すること）、入力（input）、出力（output）、アクセス（accessing）（例えば、メモリ中のデータにアクセスすること）した事を「判定」「決定」したとみなす事などを含み得る。また、「判定」、「決定」は、解決（resolving）、選択（selecting）、選定（choosing）、確立（establishing）、比較（comparing）などした事を「判定」「決定」したとみなす事を含み得る。つまり、「判定」「決定」は、何らかの動作を「判定」「決定」したとみなす事を含み得る。
【００４４】
本発明は、通信装置２０において行われる処理のステップを備える情報処理方法として提供されてもよい。また、本発明は、通信装置２０において実行されるプログラムとして提供されてもよい。かかるプログラムは、光ディスク等の記録媒体に記録した形態で提供されたり、インターネット等のネットワークを介して、コンピュータにダウンロードさせ、これをインストールして利用可能にするなどの形態で提供されたりすることが可能である。
【００４５】
ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００４６】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００４７】
本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００４８】
本明細書で使用する「第１」、「第２」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２要素への参照は、２つの要素のみがそこで採用され得ること、又は何らかの形で第１要素が第２要素に先行しなければならないことを意味しない。
【００４９】
「含む(ｉｎｃｌｕｄｉｎｇ)」、「含んでいる（ｃｏｍｐｒｉｓｉｎｇ）」、及びそれらの変形が、本明細書あるいは特許請求の範囲で使用されている限り、これら用語は、用語「備える」と同様に、包括的であることが意図される。さらに、本明細書あるいは特許請求の範囲において使用されている用語「又は（or）」は、排他的論理和ではないことが意図される。
【００５０】
本開示の全体において、例えば、英語でのa、an、及びtheのように、翻訳により冠詞が追加された場合、これらの冠詞は、文脈から明らかにそうではないことが示されていなければ、複数のものを含むものとする。
【００５１】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び決定態様として実施することができる。したがって、本明細書の記載は、例示説明を目的とするものであり、本発明に対して何ら制限的な意味を有するものではない。
【符号の説明】
【００５２】
１…通信システム、１０…受信設備、２０…通信装置、２１…第１検出部、２２…第２検出部、２３…特定部、２４・・・送信制御部、２０１…制御装置、２０２…センサ、２０３１…重量センサ、２０３２…厚みセンサ、２０４…ＬＰＷＡ信号送信装置、２０５…記憶装置。
【図１】
2020061600.tif 000003
【図２】
2020061600.tif 000004
【図３】
2020061600.tif 000005
【図４】
2020061600.tif 000006